(57)【特許請求の範囲】
【請求項１】
ダイヤルスイッチの上面と側面とのなす稜角部が面取りされた電子機器のダイヤルスイッチであって、
前記ダイヤルスイッチの全周のうちの第１の角度範囲の稜角部に小さな面取り部を形成するとともに、前記ダイヤルスイッチの全周のうちの第１の角度範囲を除く第２の角度範囲の稜角部に大きな面取り部を形成し、
前記大きな面取り部に指掛かり用のローレット、及び前記大きな面取り部を形成することにより該大きな面取り部からの突出量が大きくなるように形成された指掛かり用の突起のうちの少なくとも一方を形成し、
前記小さな面取り部に沿う前記ダイヤルスイッチの上面に該ダイヤルスイッチの各回動位置ごとのスイッチ切換え内容を示す情報を付したことを特徴とする電子機器のダイヤルスイッチ。
【請求項２】
前記小さな面取り部に装飾用のローレットを形成したことを特徴とする請求項１の電子機器のダイヤルスイッチ。
【請求項３】
前記ダイヤルスイッチの回動範囲は、前記第１の角度範囲以内である請求項１の電子機器のダイヤルスイッチ。
【請求項４】
電子機器の上面が水平面と該水平面と連続した傾斜面とを有し、該傾斜面をダイヤルスイッチの取付面とする電子機器のダイヤルスイッチであって、
前記ダイヤルスイッチが配設される電子機器の取付面に対して、前記水平面に対する取付面の角度よりも前記水平面に対する前記ダイヤルスイッチの上面の角度が小さくなるように前記ダイヤルスイッチを傾斜配設し、
前記ダイヤルスイッチの全周のうちの一部又は全周全てを前記取付面から操作可能に突出させたことを特徴とする電子機器のダイヤルスイッチ。
【請求項５】
前記取付面は第１の平面と該第１の平面に対して傾斜した第２の平面とを有し、前記ダイヤルスイッチは、前記第１の平面と第２の平面とに跨がって配設されていることを特徴とする請求項４の電子機器のダイヤルスイッチ。
【請求項６】
前記第１の平面と前記ダイヤルスイッチの上面とは第１の角度を有し、前記第２の平面と前記ダイヤルスイッチの上面とは前記第１の角度よりも大きな第２の角度を有することを特徴とする請求項５の電子機器のダイヤルスイッチ。
【請求項７】
前記電子機器は、少なくとも撮影モード及び再生モードを含む複数のモードを有する電子カメラであり、前記ダイヤルスイッチは、前記複数のモードを切り換えるモードダイヤルである請求項１乃至６のいずれかに記載の電子機器のダイヤルスイッチ。
【請求項８】
前記電子カメラの上面はカメラ背面側から見て右側の傾斜面と該傾斜面と連続した左側の水平面とを有し、前記ダイヤルスイッチは前記傾斜面上に配置されていることを特徴とする請求項７の電子機器のダイヤルスイッチ。
【請求項９】
前記電子機器は電子カメラであり、前記ダイヤルスイッチの中央にレリーズスイッチを配置したことを特徴とする請求項１乃至８のいずれかに記載の電子機器のダイヤルスイッチ。
【発明の詳細な説明】
【０００１】
【発明の属する技術分野】
本発明は電子機器のダイヤルスイッチに係り、特にカメラ等の電子機器に配設されたダイヤルスイッチの形状や取付けに関する。
【０００２】
【従来の技術】
図１０は従来の電子カメラを背面側から見た斜視図であり、１はモードダイヤルである。このモードダイヤル１は、電子カメラの背面に右手親指にて操作できるように配置されており、その回動位置に応じてセットアップモード、セルフタイマー撮影モード、マニュアル撮影モード、通常（オート）撮影モード、再生モード、消去モード等の各種のモードを選択切換えするためのダイヤルスイッチである。
【０００３】
また、このモードダイヤル１は、その上面から側面にかけて指掛かり用の凸部１Ａが形成され、更に、モードダイヤル１の上面には、各モードを選択する各回動位置ごとにそのモードを示す文字や記号等が印刷されている。
【０００４】
尚、この種のモードダイヤルがカメラの上面に配置されたカメラもある。
【０００５】
【発明が解決しようとする課題】
ところで、モードダイヤル１の操作性（指掛かり）をよくするためには、モードダイヤル１の側面を大きくする必要があるが、この場合には、取付面に対するモードダイヤルの突出量が大きくなり、カメラの小型化を阻害するという問題がある。また、モードダイヤル１の上面には、指掛かり用の凸部１Ａが張り出しているため、その分だけ文字や記号等の印刷スペースが小さくなり、見にくくなるという問題がある。
【０００６】
本発明はこのような事情に鑑みてなされたもので、ダイヤルスイッチの操作性を損なうことなく、取付面に対するダイヤルスイッチの突出量を小さくすることができ、また、ダイヤルスイッチの上面に付した文字や記号等を見やすくすることができる電子機器のダイヤルスイッチを提供することを目的とする。
【０００７】
【課題を解決するための手段】
前記目的を達成するために、本願請求項１に係る発明は、ダイヤルスイッチの上面と側面とのなす稜角部が面取りされた電子機器のダイヤルスイッチであって、前記ダイヤルスイッチの全周のうちの第１の角度範囲の稜角部に小さな面取り部を形成するとともに、前記ダイヤルスイッチの全周のうちの第１の角度範囲を除く第２の角度範囲の稜角部に大きな面取り部を形成し、前記大きな面取り部に指掛かり用のローレット、及び前記大きな面取り部を形成することにより該大きな面取り部からの突出量が大きくなるように形成された指掛かり用の突起のうちの少なくとも一方を形成し、前記小さな面取り部に沿う前記ダイヤルスイッチの上面に該ダイヤルスイッチの各回動位置ごとのスイッチ切換え内容を示す情報を付したことを特徴としている。
【０００８】
即ち、ダイヤルスイッチの上面と側面とのなす稜角部に小さな面取り部と大きな面取り部とを形成する。そして、大きな面取り部には指掛かり用のローレット及び突起のうちの少なくとも一方を形成し、ダイヤル操作時の指の接触面積を大きくして操作性をよくしている。また、小さな面取り部に沿うダイヤルスイッチの上面には、ダイヤルスイッチの各回動位置ごとのスイッチ切換え内容を示す文字や記号等の情報を付しているが、この上面は、小さな面取りにより大きく削られないため、前記情報を大きく（見やすく）表示することができる。
【０００９】
本願請求項２に係る発明は、前記小さな面取り部に装飾用のローレットを形成したことを特徴としている。また、前記ダイヤルスイッチの回動範囲は、本願請求項３に示すように前記第１の角度範囲以内である。
【００１０】
本願請求項４に係る発明は、電子機器の上面が水平面と該水平面と連続した傾斜面とを有し、該傾斜面をダイヤルスイッチの取付面とする電子機器のダイヤルスイッチであって、前記ダイヤルスイッチが配設される電子機器の取付面に対して、前記水平面に対する取付面の角度よりも前記水平面に対する前記ダイヤルスイッチの上面の角度が小さくなるように前記ダイヤルスイッチを傾斜配設し、前記ダイヤルスイッチの全周のうちの一部を前記取付面から操作可能に突出させたことを特徴としている。
【００１１】
即ち、ダイヤルスイッチを操作する際に、ダイヤルスイッチの側面全周が機器から露出している必要はなく、少なくとも指で操作する所定の範囲の側面が操作可能に露出していればよい。そこで、電子機器の取付面に対してダイヤルスイッチの上面が所定の角度をもつようにダイヤルスイッチを傾斜配設し、ダイヤルスイッチを操作するための一部の側面を大きく露出させ、他の側面は取付面から大きく露出しないようにしている。これにより、電子機器の取付面からのダイヤルスイッチの突出量を極力抑え、機器の小型化を図っている。
【００１２】
本願請求項５に示すように前記取付面は第１の平面と該第１の平面に対して傾斜した第２の平面とを有し、前記ダイヤルスイッチは、前記第１の平面と第２の平面とに跨がって配設されていることを特徴としている。また、本願請求項６に示すように前記第１の平面と前記ダイヤルスイッチの上面とは第１の角度を有し、前記第２の平面と前記ダイヤルスイッチの上面とは前記第１の角度よりも大きな第２の角度を有することを特徴としている。
【００１４】
前記電子機器は、本願請求項７に示すように少なくとも撮影モード及び再生モードを含む複数のモードを有する電子カメラであり、前記ダイヤルスイッチは、前記複数のモードを切り換えるモードダイヤルである。また、本願請求項８に示すように前記電子カメラの上面はカメラ背面側から見て右側の傾斜面と左側の水平面とを有し、前記ダイヤルスイッチは前記傾斜面上に配置されていることを特徴としている。これにより、右手の人指し指によって良好に操作できるようにしている。
また、本願請求項９に示すように前記電子機器は電子カメラであり、前記ダイヤルスイッチの中央にレリーズスイッチを配置したことを特徴としている。
【００１５】
【発明の実施の形態】
以下添付図面に従って本発明に係る電子機器のダイヤルスイッチの好ましい実施の形態について詳説する。
【００１６】
図１乃至図３はそれぞれ本発明に係るダイヤルスイッチが適用されたカメラの外観を示す正面図、背面図及び上面図である。
【００１７】
これらの図面に示すように、このカメラは電子カメラであり、外装ケース（前ケース１０、後ケース３０）は、アルミなどの金属板を絞り加工して成形され、酸化皮膜等を形成する表面処理が施されている。
【００１８】
カメラ前面には、図１に示すように撮影レンズ１２、ファインダ窓１４、ストロボ調光センサ１６、セルフタイマーランプ１８、及びストロボ発光窓２０が設けられている。尚、２２はカメラを把持した時の指掛かり用の凹部であり、その一部にラバー等による凸部（図示せず）が設けられている。
【００１９】
一方、カメラ背面には、図２に示すようにファインダ接眼部３２、ファインダランプ３４、液晶表示パネル３６、ストロボキー３８、マクロキー４０、キャンセル／戻しキー４２、シフトキー４４、表示キー４６、メニュー／実行キー４８、十字キー５０、及び液晶モニタ５２が設けられている。
【００２０】
また、カメラ上面には、図３に示すようにモードダイヤル５４、レリーズスイッチ５６、及びパワースイッチ５８が設けられている。尚、モードダイヤル５４は、セルフタイマー撮影モード、セットアップモード、マニュアル撮影モード、通常（オート）撮影モード、再生モード、パソコン（ＰＣ）モード等の各種のモードをその回動位置に応じて選択切換えするためのダイヤルスイッチである。
【００２１】
次に、カメラ上面に設けられているモードダイヤル５４、レリーズスイッチ５６、及びパワースイッチ５８の取付構造等について説明する。
【００２２】
図４はモードダイヤル５４、レリーズスイッチ５６、及びパワースイッチ５８の取付構造を示す分解斜視図である。
【００２３】
同図に示すように、絞り加工された金属製の外装ケースの内側には、カメラの内部部材（図示せず）を固定するためのインナーモールド６０が接着剤や両面テープ等によって接着されている。尚、インナーモールド６０は、例えばＡＢＳ樹脂（Acrylonitrile-butadiene-strene Resin) を射出成形することによって所定の形状に成形されている。
【００２４】
このインナーモールド６０には、ドーナツ形状のモードダイヤル５４のダイヤル部５５と、レリーズスイッチ５６のキートップ５７と、パワースイッチ５８の操作部材（スライドつまみ）５９とをそれぞれ支持する支持部６２、６４及び６６が一体成形されている。
【００２５】
前記インナーモールド６０の支持部６２には、円筒軸６２Ａが一体成形されており、この円筒軸６２Ａにはクリック用の半球７０Ａ、７０Ａを有する板バネ７０が挿入され且つストッパ６２Ｂ、６２Ｂによって回動不能に支持される。そして、ダイヤル部５５は、前記板バネ７０を挟んで円筒軸６２Ａに軸支されるように載置される。
【００２６】
前記ダイヤル部５５の下面には、支持部６２に形成された円弧状の２本の溝６２Ｃ、６２Ｃに挿入される２本のピン５５Ａ、５５Ａが突出形成されている。この２本のピン５５Ａ、５５Ａには、ブラシ７２Ａが配設された抜け止め用のリング部材７２がネジ７４、７４によって固定される。尚、２本のピン５５Ａ、５５Ａは、２本の溝６２Ｃ、６２Ｃ内を摺動し、ダイヤル部５５の回動範囲を規制する。
【００２７】
また、ダイヤル部５５の下面には、クリック用の半球７０Ａが係合する複数の溝（図示せず）が所定のピッチで形成されており、ダイヤル部５５は、ダイヤル部５５の回動角度に応じて半球７０Ａが溝に落ち込むことによりクリック動作する。
【００２８】
一方、インナーモールド６０の支持部６４には、コイルバネ７６を挟んでキートップ５７が装着される。即ち、キートップ５７は、３本の爪部５７Ａ、５７Ａ、５７Ａと、キーステム（図示せず）とが樹脂によって一体形成されており、爪部５７Ａを支持部６４に形成された孔６４Ａに圧入することによって装着される。このキートップ５７を支持部６４に装着した後は、キートップ５７はコイルバネ７６によって上方に付勢されるが、前記爪部５７Ａによって外れないようになっている。また、キーステムは、支持部６４に形成された孔６４Ｂに挿入される。
【００２９】
更に、インナーモールド６０の支持部６６には、パワースイッチ５８のスライドつまみ５９が図４上で左右方向に移動自在に装着される。
【００３０】
尚、モードダイヤル５４は、前記ダイヤル部５５の回動に応じてブラシ７２Ａが図示しないコード板上を摺動し、これによりモードダイヤル５４の回動位置に応じたモード選択信号を出力する。また、レリーズスイッチ５６は、キートップ５７の押下操作に応じてキーステムが図示しないスイッチ接点を動作させてレリーズ信号を出力し、同様にパワースイッチ５８は、スライドつまみ５９の移動に応じて図示しないスイッチ接点を動作させてカメラ電源をＯＮ／ＯＦＦする。
【００３１】
また、図３に示すように、前ケース１０と後ケース３０と上面の合わせ目には、インナーモールド６０（図４参照）の一部６０Ａが露出するようになっており、前記パワースイッチ５８は露出した部分に配置されている。これにより、前ケース１０と後ケース３０の加工誤差等により、両者の合わせ目に段差があったり、色、光沢等に若干の差があっても目立たなくすることができる。
【００３２】
次に、モードダイヤル５４、レリーズスイッチ５６、及びパワースイッチ５８とカメラの取付位置（取付面）との関係について説明する。
【００３３】
図２及び図５に示すように、パワースイッチ５８は、モードダイヤル５４及びレリーズスイッチ５６が設けられた面と同一面上の近傍に設けられている。即ち、このカメラの上面は、カメラ背面側から見て右側の傾斜面３１Ａと左側の水平面３１Ｂとを有しているが、前記モードダイヤル５４、レリーズスイッチ５６及びパワースイッチ５８は、それぞれ右側の傾斜面３１Ａ上に配置されている。
【００３４】
このように右側の傾斜面３１Ａにモードダイヤル５４、レリーズスイッチ５６及びパワースイッチ５８を集中配置した理由は、右手でカメラを把持した状態で右手の人差し指でカメラ上面の全てのスイッチを操作できるようにするためである。尚、カメラ背面側から右側の上面を傾斜させることにより、人指し指によるスイッチの操作性の向上を図っている。
【００３５】
また、図２に示すようにモードダイヤル５４が取り付けられた前記傾斜面３１Ａに対して、モードダイヤル５４の上面が所定の角度α（この実施の形態では、１０°程度）をもつようにモードダイヤル５４が傾斜して配置されている。これにより、モードダイヤル５４の全周のうちの一部を傾斜面３１Ａから大きく突出させ、モードダイヤル５４を操作できるようにしている。
【００３６】
次に、モードダイヤル５４のダイヤル部５５の形状等について説明する。
【００３７】
図１及び図２に示すように、ダイヤル部５５の上面と側面とのなす稜角部は、面取りされており（稜角が削られており）、図３に示すようにダイヤル部５５の全周のうちの角度範囲Ａの稜角部には小さな面取り部が形成され、全周のうちの角度範囲Ａを除く角度範囲Ｂの稜角部には大きな面取り部が形成されている。
【００３８】
そして、ダイヤル部５５の大きな面取り部には、図６に示すように指掛かり用のローレット５５Ｂと突起５５Ｃとが形成され、小さな面取り部には装飾用のローレット５５Ｄが形成されている。
【００３９】
このダイヤル部５５の回動範囲は、角度範囲Ａ以内であり、モードダイヤル５４は、ダイヤル部５５の回動位置に応じて前述したようにセルフタイマー撮影モード、セットアップモード、マニュアル撮影モード、通常（オート）撮影モード、再生モード、及びＰＣモードのうちのいずれかのモードに切り換える。
【００４０】
また、角度範囲Ａの小さな面取り部（装飾用のローレット５５Ｄ）に沿うダイヤル部５５の上面には、各モードを選択する各回動位置ごとにそのモードを示す記号や文字等が印刷されている（図３、図６参照）。
【００４１】
即ち、ダイヤル部５５の角度範囲Ａの面取り部を小さくすることにより、角度範囲Ａでのダイヤル部５５の上面の面積を大きく確保し、この部分に各モードを示す記号や文字等を大きく印刷できるようにしている。
【００４２】
一方、ダイヤル部５５の角度範囲Ｂの面取り部を大きくすることにより、ダイヤル部５５の操作時の指の接触面積を大きくするとともに、突起５５Ｃの突出量を大きくし、操作性の向上を図っている。
【００４３】
尚、この実施の形態では、図２に示したようにモードダイヤル５４の取付面（傾斜面３１Ａ）は１つの平面としたが、これに限らず、図７及び図８に示すように取付面が平面Ａと平面Ｂとを有し、モードダイヤル５４をこれらの平面Ａと平面Ｂとに跨がって配設するようにしてもよい。図７に示す実施の形態では、平面Ａとモードダイヤル５４の上面とは平行であり、平面Ｂとモードダイヤル５４の上面とは角度βを有している。一方、図８に示す実施の形態では、平面Ａとモードダイヤル５４の上面とは角度γを有し、平面Ｂとモードダイヤル５４の上面とは角度δを有している。
【００４４】
また、この実施の形態では、電子カメラについて説明したが、本発明はダイヤルスイッチを使用する電子機器であればいかなるものにも適用できる。また、この実施の形態では、ダイヤル部の大きな面取り部には、指掛かり用のローレットと突起とを形成したが、これに限らず、指掛かり用のローレット及び突起のうちの何れか一方のみを形成するようにしてもよい。更に、ダイヤルスイッチの上面と側面とのなす稜角部の面取りは、直線となるように面取りする場合に限らず、図９に示すように適宜の曲線Ｒ1 、Ｒ2 で面取りしてよく、また、大小の面取り部のうちの一方を直線で面取りし、他方を曲線で面取りしてもよい。
【００４５】
【発明の効果】
以上説明したように本発明によれば、ダイヤルスイッチの上面と側面とのなす稜角部に小さな面取り部と大きな面取り部とを形成し、大きな面取り部には指掛かり用のローレット及び突起のうちの少なくとも一方を形成したため、ダイヤル操作時の指の接触面積が大きく、操作性の向上を図ることができる。一方、小さな面取り部に沿うダイヤルスイッチの上面には、ダイヤルスイッチの各回動位置ごとのスイッチ切換え内容を示す文字や記号等の情報を付すようにしたため、前記情報を大きく（見やすく）表示することができる。
【００４６】
また、ダイヤルスイッチが配設される取付面に対して、該ダイヤルスイッチの上面が所定の角度をもつようにダイヤルスイッチを傾斜配設したため、ダイヤルスイッチを操作するための一部の側面を大きく露出させ、他の側面は取付面から大きく露出しないようにすることができ、これにより取付面からのダイヤルスイッチの突出量を極力抑え、機器の小型化を図ることができる。更に、ダイヤルスイッチは、電子機器の上面の傾斜面上に傾斜配置されているため、人指し指での操作時に無理がなく、より操作性に優れているという利点がある。
【図面の簡単な説明】
【図１】本発明に係るダイヤルスイッチが適用されたカメラの外観を示す正面図
【図２】図１に示したカメラの背面図
【図３】図１に示したカメラの上面図
【図４】本発明に係るモードダイヤルの取付構造を示す分解斜視図
【図５】図１に示したカメラを背面側から見た斜視図
【図６】図１に示したカメラの上面の要部拡大斜視図
【図７】モードダイヤルとその取付面との他の実施の形態を示す図
【図８】モードダイヤルとその取付面との更に他の実施の形態を示す図
【図９】モードダイヤルの面取り部の他の実施の形態を示す図
【図１０】従来のダイヤルスイッチが適用された電子カメラを背面側から見た斜視図
【符号の説明】
１０…前ケース、３０…後ケース、３１Ａ…傾斜面、３１Ｂ…水平面、５４…モードダイヤル、５５…ダイヤル部、５５Ｂ…指掛かり用のローレット、５５Ｃ…突起、５５Ｄ…装飾用のローレット
【図１】
0003968766.tif 000002
【図２】
0003968766.tif 000003
【図３】
0003968766.tif 000004
【図４】
0003968766.tif 000005
【図５】
0003968766.tif 000006
【図６】
0003968766.tif 000007
【図７】
0003968766.tif 000008
【図８】
0003968766.tif 000009
【図９】
0003968766.tif 000010
【図１０】
0003968766.tif 000011